(57)【要約】【課題】  ＤＶＤの情報再生方法を検討し、追記可能な二層構造のＤＶＤ±Ｒの約１／３の反射率しか有しない二層構造のＤＶＤ±ＲＷの情報再生を可能とした再生方法及び再生装置を提供する。【解決手段】  光ピックアップ装置４２からの信号ＶＡ、ＶＢ、ＶＣ、ＶＤは可変利得アンプ（ＶＧＡ）６６によって、任意にゲイン倍される。このゲインＧｉｎｐｄはＣＰＵ５３からの指示によって設定することが可能となっており、ＩＮＰＤＧコントロール信号によって設定できる。フォーカスエラー信号はＦＥ演算回路６１によって、ＦＥ＝Ｇｉｎｐｄ×［（Ａ＋Ｃ）−（Ｂ＋Ｄ）］の演算が行われる。トラックエラー信号はＴＥ演算回路６２によって、ＴＥ＝Ｇｉｎｐｄ×［（Ｂ＋Ｃ）−（Ａ＋Ｄ）］の演算が行われる。総和信号はＳＵＭ演算回路６３によって、ＳＵＭ＝Ｇｉｎｐｄ×（Ａ＋Ｂ＋Ｃ＋Ｄ）の演算が行われる。 正規化回路は、ＡＧＣＣＮＴ回路６４とＶＣＡ６５から構成される。【選択図】  図４
2006338849.tif 000002
【特許請求の範囲】
【請求項１】
基板上に少なくとも第一の記録構成層、樹脂中間層、第二の記録構成層、カバー基板を順次積層した多層相変化型光記録媒体の再生方法において、前記第一の記録構成層及び第二の記録構成層に記録された情報を再生する場合、書き換え可能な多層相変化型光記録媒体の再生出射光束のパワーを、再生専用の多層相変化型光記録媒体の再生出射光束のパワーより大きくしたことを特徴とする多層相変化型光記録媒体の再生方法。
【請求項２】
請求項１に記載の多層相変化型光記録媒体の再生方法において、前記第一の記録構成層及び第二の記録構成層に記録された情報を再生する場合、前記再生出射光束のパワーを１．０乃至１．８ｍＷの範囲とすることを特徴とする多層相変化型光記録媒体の再生方法。
【請求項３】
請求項１又は２に記載の多層相変化型光記録媒体の再生方法において、前記第一の記録構成層及び第二の記録構成層に記録された情報を再生する場合、光ピックアップ装置の対物レンズが前記第一の記録構成層から第二の記録構成層に移動する方向でフォーカスの引き込みを行うことを特徴とする多層相変化型光記録媒体の再生方法。
【請求項４】
請求項１又は２に記載の多層相変化型光記録媒体の再生方法において、前記第一の記録構成層及び第二の記録構成層に記録された情報を再生する場合、光ピックアップ装置の対物レンズが合焦動作行なう開始位置を、当該対物レンズから出射した光束の合焦点が前記第１記録層より奥側になるようにしたことを特徴とする多層相変化型光記録媒体の再生方法。
【請求項５】
基板上に少なくとも第一の記録構成層、樹脂中間層、第二の記録構成層、カバー基板を順次積層した多層相変化型光記録媒体の情報再生装置において、前記第一の記録構成層及び第二の記録構成層に記録された情報を再生する場合、書き換え可能な多層相変化型光記録媒体の再生出射光束のパワーを、再生専用の多層相変化型光記録媒体の再生出射光束のパワーより大きくしたことを特徴とする多層相変化型光記録媒体の再生装置。
【請求項６】
請求項５に記載の多層相変化型光記録媒体の再生装置において、前記第一の記録構成層及び第二の記録構成層に記録された情報を再生する場合、前記再生出射光束のパワーを１．０乃至１．８ｍＷの範囲とすることを特徴とする多層相変化型光記録媒体の再生装置。
【請求項７】
請求項５又は６に記載の多層相変化型光記録媒体の再生装置において、前記第一の記録構成層及び第二の記録構成層に記録された情報を再生する場合、光ピックアップ装置の対物レンズが前記第一の記録構成層から第二の記録構成層に移動する方向でフォーカスの引き込みを行うことを特徴とする多層相変化型光記録媒体の再生装置。
【請求項８】
請求項５又は６に記載の多層相変化型光記録媒体の再生装置において、前記第一の記録構成層及び第二の記録構成層に記録された情報を再生する場合、光ピックアップ装置の対物レンズが合焦動作行なう開始位置を、当該対物レンズから出射した光束の合焦点が前記第１記録層より奥側になるようにしたことを特徴とする多層相変化型光記録媒体の再生装置。
【請求項９】
請求項１乃至４の何れか一項に記載の再生方法をコンピュータが制御可能にプログラミングしたことを特徴とする再生プログラム。
【請求項１０】
請求項９に記載の再生プログラムをコンピュータが読み取り可能な形式で記録したことを特徴とする記録媒体。
【発明の詳細な説明】
【技術分野】
【０００１】
本発明は、多層相変化型光記録媒体の再生方法及びその再生装置に関し、さらに詳しくは、多層相変化型光記録媒体の構成とその組成、及び当該多層相変化型光記録媒体の記録層に記録された情報の再生方法に関するものである。
【背景技術】
【０００２】
最近のＤＶＤの普及は目覚しくビデオレコーダーの分野においてもテープからＤＶＤに置き換わる勢いである。現在市場で利用されているＤＶＤの種類は、大きく分けると、再生専用のＤＶＤ（二層構造も有り）、追記可能なＤＶＤ±Ｒ（二層構造も有り）、書き換え可能なＤＶＤ±ＲＷ（単層構造のみ）となり、いずれもＤＶＤビデオレコーダーやＤＶＤプレーヤーで再生可能である。しかし、書き換え可能なＤＶＤ±ＲＷは、現在は単層構造のみしかなく録画時間が二層構造のものの約半分であり、長時間の録画が出来ないという不具合があった。そこでＤＶＤ±ＲＷにおいても二層化を実現し、書き換え可能でしかも長時間録画が可能なＤＶＤ±ＲＷの提供が望まれている。
しかし、二層構造のＤＶＤ±ＲＷの反射率は、追記可能な二層構造のＤＶＤ±Ｒの約１／３しかなく、現状のＤＶＤビデオレコーダーや、ＤＶＤプレーヤーで再生することができない。そこで、ＤＶＤの組成を含めて情報の再生方法において何らかの工夫が必要となってくる。即ち、光ディスク装置では、フォーカスサーボ及びトラックサーボを安定に行うためにフォーカスエラー信号（ＦＥ）及びトラックエラー信号（ＴＥ）を正規化しておりこの正規化の技術は、例えば特許文献１に開示され、正規化の一例が示されている。具体的には、フォーカス信号及びトラック信号などのサーボ信号をＡＧＣ（正規化）する元信号として、光ピックアップ装置の分割受光素子（ＰＵという）からの総和信号を使用する例が示されている。 
また図８には、従来の光ディスク装置におけるＡＧＣ方式の回路が示されている。この回路においては、ＰＵからの複数（例えば四つ）の信号ＶＡ、ＶＢ、ＶＣ、ＶＤがＦＥ（フォーカスエラー）演算回路１０１によって、ＦＥ＝（Ａ＋Ｃ）−（Ｂ＋Ｄ）が演算され、ＴＥ（トラックエラー）演算回路１０２によって、ＴＥ＝（Ｂ＋Ｃ）−（Ａ＋Ｄ）が演算され、ＳＵＭ演算回路１０３によって、ＳＵＭ＝（Ａ＋Ｂ＋Ｃ＋Ｄ）が演算される。正規化回路はＡＧＣＣＮＴ回路１０４とＶＣＡ（電圧制御アンプ）１０５から構成される。そしてＡＧＣＣＮＴ回路１０４に入力されるＳＵＭ演算回路１０３からのＳＵＭ信号のレベルが、ある一定電圧になるようにＡＧＣＣＮＴ回路１０４ではＶＣＡ１０５のゲイン設定がなされる。具体的には、例えばＳＵＭ信号レベルが１Ｖとなるように設定されているとした場合、各ＶＣＡ１０５のゲインは、ＧＡＩＮ＝１／ＳＵＭとなる。 
このとき、ＦＥ信号とＴＥ信号は以下の様にＡＧＣ演算される。 
ＦＥｎ＝［（Ａ＋Ｃ）−（Ｂ＋Ｄ）］／（Ａ＋Ｂ＋Ｃ＋Ｄ） 
ＴＥｎ＝［（Ｂ＋Ｃ）−（Ａ＋Ｄ）］／（Ａ＋Ｂ＋Ｃ＋Ｄ） 
ところで、ＶＣＡ１０５でのＡＧＣのゲイン範囲を広くすることはかなり難しく、±１０ｄＢ程度が妥当である。このＡＧＣアンプはサーボ信号に使われるため、ゲインの変動に対して入力オフセットが変動してはいけない。すなわち、広いゲイン範囲できわめて小さい入力オフセット変動が要求されることになる。
【特許文献１】特開２００１−１０１６８０公報
【発明の開示】
【発明が解決しようとする課題】
【０００３】
従って、図８に示す従来の光ディスク装置において、このゲインの範囲を広く取りオフセットの変動をも少なくするためには、回路規模を大きくしなければならず実現が難しいという問題がある。
また、ＡＧＣ範囲の中心では、入力オフセット及び、ＡＧＣのゲイン誤差は小さいが、ＡＧＣ範囲の端になるとオフセット及びＡＧＣゲイン誤差がどうしても大きくなってしまうという問題がある。 
本発明は、かかる課題に鑑み、ＤＶＤの情報再生方法を検討し、追記可能な二層構造のＤＶＤ±Ｒの約１／３の反射率しか有しない二層構造のＤＶＤ±ＲＷの情報再生を可能とした再生方法及び再生装置を提供することを目的とする。
【課題を解決するための手段】
【０００４】
本発明はかかる課題を解決するために、請求項１は、基板上に少なくとも第一の記録構成層、樹脂中間層、第二の記録構成層、カバー基板を順次積層した多層相変化型光記録媒体の再生方法において、前記第一の記録構成層及び第二の記録構成層に記録された情報を再生する場合、書き換え可能な多層相変化型光記録媒体の再生出射光束のパワーを、再生専用の多層相変化型光記録媒体の再生出射光束のパワーより大きくしたことを特徴とする。
光ピックアップ装置からの再生出射光束のパワーは、約０．７ｍＷである。この時、例えば反射率が８０％の再生専用のＤＶＤからのＭＩＲＲレベルは０．７Ｖであり、０．５／０．７Ｖ＝０．７（−３ｄＢに相当）の設定値を計算し、ＩＮＰＤＧに設定を行う。このとき、光ピックアップ装置からの出力はＩＮＰＤＧによって０．７倍されるので、フォーカスを掛けた時のＳＵＭ信号は、０．５Ｖとなり、ＡＧＣのゲインは中心の１／０．５Ｖ＝２（６ｄＢに相当）となり、良好なサーボ性能が発揮される。
請求項２は、請求項１に記載の多層相変化型光記録媒体の再生方法において、前記第一の記録構成層及び第二の記録構成層に記録された情報を再生する場合、前記再生出射光束のパワーを１．０乃至１．８ｍＷの範囲とすることを特徴とする。
半導体レーザの制御精度が初期設定精度を含めると±３０％程度ばらつくので実際のパワーは、０．５〜０．９ｍＷの可能性がある。同様に約１．４ｍＷの時には１．０〜１．８ｍＷの可能性がある。つまり光ピックアップ装置からの再生出射光束のパワーを、従来の倍である約１．４ｍＷとすると言う意味は、厳密には１．０〜１．８ｍＷにすると言う意味である。
請求項３は、請求項１又は２に記載の多層相変化型光記録媒体の再生方法において、前記第一の記録構成層及び第二の記録構成層に記録された情報を再生する場合、光ピックアップ装置の対物レンズが前記第一の記録構成層から第二の記録構成層に移動する方向でフォーカスの引き込みを行うことを特徴とする。
反射率が追記可能な二層構造のＤＶＤ±Ｒの約１／３しかない二層構造のＤＶＤ±ＲＷにおいては、カバー基板の表面からも第一の記録構成層、第二の記録構成層と同程度のＳＵＭ信号が発生するため、誤ってカバー基板の表面にフォーカスが入るのを防止するＳＵＭ信号のスレッシュレベルを設定出来ない。そこでフォーカス引き込み方向を第一の記録構成層から第二の記録構成層に移動する方向でフォーカスの引き込みを行う。
【０００５】
請求項４は、請求項１又は２に記載の多層相変化型光記録媒体の再生方法において、前記第一の記録構成層及び第二の記録構成層に記録された情報を再生する場合、光ピックアップ装置の対物レンズが合焦動作行なう開始位置を、当該対物レンズから出射した光束の合焦点が前記第１記録層より奥側になるようにしたことを特徴とする。
光ピックアップ装置の対物レンズの合焦動作行なう開始位置を、対物レンズから出射した光束の合焦点が第１記録層より奥側（基板側）になるようにすると、フォーカス引き込みが物理的に早くなる。
請求項５は、基板上に少なくとも第一の記録構成層、樹脂中間層、第二の記録構成層、カバー基板を順次積層した多層相変化型光記録媒体の情報再生装置において、前記第一の記録構成層及び第二の記録構成層に記録された情報を再生する場合、書き換え可能な多層相変化型光記録媒体の再生出射光束のパワーを、再生専用の多層相変化型光記録媒体の再生出射光束のパワーより大きくしたことを特徴とする。
本発明は請求項１と同様の作用効果を奏する。
請求項６は、請求項５に記載の多層相変化型光記録媒体の再生装置において、前記第一の記録構成層及び第二の記録構成層に記録された情報を再生する場合、前記再生出射光束のパワーを１．０乃至１．８ｍＷの範囲とすることを特徴とする。
本発明は請求項２と同様の作用効果を奏する。
請求項７は、請求項５又は６に記載の多層相変化型光記録媒体の再生装置において、前記第一の記録構成層及び第二の記録構成層に記録された情報を再生する場合、光ピックアップ装置の対物レンズが前記第一の記録構成層から第二の記録構成層に移動する方向でフォーカスの引き込みを行うことを特徴とする。
本発明は請求項３と同様の作用効果を奏する。
請求項８は、請求項５又は６に記載の多層相変化型光記録媒体の再生装置において、前記第一の記録構成層及び第二の記録構成層に記録された情報を再生する場合、光ピックアップ装置の対物レンズが合焦動作行なう開始位置を、当該対物レンズから出射した光束の合焦点が前記第１記録層より奥側になるようにしたことを特徴とする。
本発明は請求項４と同様の作用効果を奏する。
請求項９は、請求項１乃至４の何れか一項に記載の再生方法をコンピュータが制御可能にプログラミングしたことを特徴とする。
請求項１０は、請求項９に記載の再生プログラムをコンピュータが読み取り可能な形式で記録したことを特徴とする。
【発明の効果】
【０００６】
また請求項１、２、５、６では、現状のＤＶＤビデオレコーダーや、ＤＶＤプレーヤーの小変更、具体的には再生パワーの変更のみで二層構造のＤＶＤ±ＲＷにおいても再生が可能となる。
また請求項３、７では、現状のＤＶＤビデオレコーダーや、ＤＶＤプレーヤーの小変更、具体的にはフォーカス引き込み方向の変更のみで二層構造のＤＶＤ±ＲＷにおいても再生が可能となる。
また請求項４、８では、現状のＤＶＤビデオレコーダーや、ＤＶＤプレーヤーの小変更、具体的にはピックアップの取り付け位置の変更のみで二層構造のＤＶＤ±ＲＷにおいても再生が可能となる。
また請求項９では、本発明の再生方法をコンピュータが制御可能なＯＳに従ってプログラミングすることにより、そのＯＳを備えたコンピュータであれば同じ処理方法により制御することができる。
また請求項１０では、再生プログラムをコンピュータが読み取り可能な形式で記録媒体に記録することにより、この記録媒体を持ち運ぶことにより何処でもプログラムを稼動することができる。
【発明を実施するための最良の形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の相変化型光記録媒体の一例を示す層構成断面を模式的に示した図である。この相変化型光記録媒体１１０は、基板１、反射層２、第１界面層１４、第１保護層３、第１記録層４、第２保護層５、樹脂中間層６、第３保護層７、放熱層８、第４保護層９、第２記録層１０、第５保護層１１、第６保護層１２、カバー基板１３を備えて構成される。
基板１の材料としては、通常ポリカーボネートが用いられる。また基板１には通常、記録再生光を案内するピッチ０．８μｍ以下の溝を設ける。
第１記録層４及び第２記録層１０に用いられる相変化記録材料としては、Ｓｂ及びＴｅを主成分とする合金が挙げられる。その厚さは一般的に５〜１００ｎｍの範囲が好ましい。５ｎｍより薄いと十分なコントラストを得難く、また結晶化速度が遅くなる傾向があり、短時間での消去が困難となり易い。一方、１００ｎｍを越えるとやはり光学的なコントラストが得難くなり、またクラックが生じ易くなる。コントラストとしては、ＤＶＤなど再生専用ディスクと互換性がとれる必要がある。
第１記録層４は第１保護層３と第２保護層５の間に、第２記録層１０は、第４保護層９と第５保護層１１の間に挟み込まれた状態で設けられる。
第１保護層３は、反射層２へ効率的に熱を逃すという機能を併せ持つ。また、第２保護層５は、主として記録時の高温による樹脂中間層６の表面の変形を防止するのに有効である。第４保護層９は、放熱層８に熱を逃がす機能と、第２記録層１０や放熱層８との相互拡散を防止する機能を併せ持つ。また、第５保護層１１は、反射率の調整と記録時の高温による第６保護層１２とカバー基板１３の変形を防止するのに有効である。第１保護層３、第２保護層５、第４保護層９、第５保護層１１の材料は、屈折率、熱伝導率、化学的安定性、機械的強度、密着性等を考慮して決定される。また、第１記録層４、第２記録層１０の材料との整合性を考慮すると、ＺｎＳとＳｉＯ２の混合物が最も好ましく、製造上のコスト低減の面からは、各保護層に同じ材料を用いると有利である。
【０００８】
第１記録層３及び第４保護層９の膜厚は３〜２５ｎｍが好ましい。また、第２保護層５及び第５保護層１１の膜厚は、３０〜１５０ｎｍとする必要がある。３０ｎｍより薄いと、記録層溶融時の変形等によって破壊され易く、Ｏ／Ｗ特性が悪くなる。また１５０ｎｍを越えると反射率変動が大きくなり易く均一に記録し難い。
高密度記録においては、特に熱伝導特性の低い材料を第１及び第４保護層９に用い、好ましくはその膜厚を３〜２０ｎｍとすることが重要である。このため、第１保護層３上に設けられる第１界面層１４は、高熱伝導率であることが必要となり、この構成によって高速記録時に熱が急激に逃げず、かつ反射層２に熱が伝わり、高速記録が可能となる。
また、第一の記録構成層１００に到達する光は第二の記録構成層２００を透過してくる透過光のため、入射光量が第二の記録構成層２００の入射光量の半分以下であるから、第二の記録構成層２００の入射光を増やすか、第１記録層４の感度を良くすることが望ましい。本発明では、入射光の少ない第一の記録構成層１００において、第１記録層４を熱伝導率の低い層で挟んで記録感度を良くすると共に、第１保護層３の膜厚を３〜２０ｎｍと薄くして熱を吸収し易くすることにより記録感度を良くすることができる。
第３保護層７の材料としては、ＩＴＯ（Ｉｎ２Ｏ３とＳｎＯの混合系組成）、ＩＺＯ（Ｉｎ２Ｏ３とＺｎＯの混合組成）などが挙げられる。これらの材料は熱伝導率が高いので、第２記録層１０で記録される際に発生する熱が、放熱層８を経由して放熱される。これによって、急激な冷却が必要なＳｂＴｅを主成分とする相変化材料からなる記録層は最適な急冷状態となり、小さなアモルファスマークが形成可能となる。
第３保護層７は、放熱効果を考慮すると、厚い程望ましいが、厚みが２００ｎｍより厚くすると、応力が多くなりクラックが入ってしまう。２０ｎｍ未満でも放熱効果が少ないので、２０ｎｍから２００ｎｍが良い。
【０００９】
反射層２と放熱層８は放熱機能を担う反射層２は高熱伝導率で３００ｎｍ以下の薄い反射層２を用いて、横方向の放熱効果を促進することが好ましい。反射層２の材料としては、Ａｇ又はＡｇ合金、Ａｌ合金等が挙げられる。
Ａｇ合金としては、後述の放熱層８に用いられると同じＡｇ合金が挙げられる。Ａｇ合金を反射層２として用いる場合、好ましい膜厚は３０〜２００ｎｍである。３０ｎｍ未満では純Ａｇでも放熱効果は不十分である。２００ｎｍを超えると熱が水平方向より垂直方向に逃げて水平方向の熱分布改善に寄与しないし、不必要な厚膜は生産性を低下させる。また、膜表面の微視的な平坦性も悪くなる。
放熱層８は超急冷のために設ける。そのための材料としてはＣｕが好ましい。また、膜厚は、光束を透過させる必要があるため１０ｎｍ未満2ｎｍ以上が良い。
カバー基板１は、厚さ０．６ｍｍの通常ポリカーボネートが用いられる。
【００１０】
図２は多層相変化型光記録媒体の実施例を示す模式図である。この多層相変化型光記録媒体１２０は、ポリカーボネート製基板２１上に、反射層２２（Ａｇ９７Ｃｕ１Ｐｔ１Ｐｄ１）、第１界面層３４（（ＴｉＣ）80（ＴｉＯ２）20）、第１保護層２３（ＺｎＳ・ＳｉＯ２）、第１記録層２４（Ａｇ５Ｉｎ５Ｓｂ６５Ｔｅ２５）、第２保護層２５（ＺｎＳ・ＳｉＯ２）、樹脂中間層２６（ＵＶ硬化樹脂、三菱マテリアル社製ＳＤ３１８）、２７（ＩＺＯ）、放熱層２８（Ａｇ９７Ｃｕ１Ｐｔ１Ｐｄ１）、第４保護層２９（ＺｎＳ・ＳｉＯ２）、第２記録層３０（Ｇｅ５Ａｇ２Ｓｂ７０Ｔｅ２３）、第５保護層３１（ＺｎＳ・ＳｉＯ２）、第６保護層３２（ＩＴＯ）、カバー基板３３（ポリカーボネート）を順次形成して相変化型光記録媒体を作製した。なお、樹脂中間層２６（厚さ３５μｍ）、カバー基板１３３（厚さ０．６ｍｍ）以外は、スパッタ法により下記のような厚さに制御しながら形成した。
基板２１：０．６ｍｍ、反射層２２：１２０ｎｍ、第１界面層３４：３ｎｍ、第１保護層２３：１０ｎｍ、第１記録層２４：１２ｎｍ、第２保護層２５：６０ｎｍ、第３保護層２７：７０ｎｍ、放熱層２８：６ｎｍ、第４保護層２９：１０ｎｍ、第２記録層３０：７ｎｍ、第５保護層３１：１０ｎｍ、第６保護層３２：６５ｎｍ
【００１１】
図３は本発明の本多層相変化型光記録媒体の再生方法を用いる光ディスク装置のブロック図である。この図３に示される光ディスク装置４０は、光ディスク５５を回転駆動するためのスピンドルモータ４１、光ピックアップ装置４２、レーザコントロール回路４３、エンコーダ４４、モータドライバ４５、再生信号処理回路４６、サーボコントローラ４７、バッファＲＡＭ４８、バッファマネージャ４９、ホストコンピュータ５６とのインターフェース５０、ＲＯＭ５１、記憶手段としてのフラッシュメモリ５２、ＣＰＵ５３及びＲＡＭ５４などを備えている。なお、図３における矢印は、代表的な信号や情報の流れを示すものであり、各ブロックの接続関係の全てを表すものではない。 
光ピックアップ装置４２は、波長が約６６０ｎｍのレーザ光を出射する半導体レーザ、半導体レーザから出射される光束を光ディスク５５の記録面に導くとともに、記録面で反射された戻り光束を所定の受光位置まで導く光学系、受光位置に配置され戻り光束を受光する受光器、及び駆動系（フオーカシングアクチュエータ、トラッキングアクチュエータ及びシークモータ）（いずれも図示省略）などを含んで構成されている。そして、受光器からは、その受光量に応じた電流（電流信号）が再生信号処理回路４６に出力される。 
再生信号処理回路４６は、光ピックアップ装置４２からの出力信号である電流信号を電圧信号に変換し、該電圧信号に基づいてウォブル信号、再生信号及びサーボ信号（フォーカスエラー信号、トラックエラー信号）などを検出する。そして、再生信号処理回路４６では、ウォブル信号からアドレス情報及び同期信号等を抽出する。ここで抽出されたアドレス情報はＣＰＵ５３に出力され、同期信号はエンコーダ４４に出力される。さらに、再生信号処理回路４６では、再生信号に対して誤り訂正処理等を行なった後、バッファマネージャ４９を介してバッファＲＡＭ４８に格納する。また、サーボ信号は再生信号処理回路４６からサーボコントローラ４７に出力される。なお、再生信号処理回路４６では、ＣＰＵ５３の指示により、光ディスク５５の種類に対応したサーボパラメータ（例えば、信号レベル調整用ゲインなど）を設定する。 
【００１２】
サーボコントローラ４７では、サーボ信号に基づいて光ピックアップ装置４２を制御する制御信号を生成し、モータドライバ４５に出力する。バッファマネージャ４９では、バッファＲＡＭ４８へのデータの入出力を管理し、蓄積されたデータ量が所定の値になると、ＣＰＵ５３に通知する。 
モータドライバ４５では、サーボコントローラ４７からの制御信号及びＣＰＵ５３の指示に基づいて、光ピックアップ装置４２及びスピンドルモータ４１を制御する。 
エンコーダ４４では、ＣＰＵ５３の指示に基づいて、バッファＲＡＭ４８に蓄積されているデータをバッファマネージャ４９を介して取り出し、エラー訂正コードの付加などを行ない、光ディスク５５への書き込みデータを作成する。そして、エンコーダ４４では、ＣＰＵ５３からの指示に基づいて、再生信号処理回路４６からの同期信号に同期して、書き込みデータをレーザコントロール回路４３に出力する。 
レーザコントロール回路４３では、エンコーダ４４からの書き込みデータに基づいて、光ピックアップ装置５５からのレーザ光出力を制御する。
インターフェース５０は、ホスト（例えば、パーソナルコンピュータ、ＤＶＤビデオレコーダーバックエンド）５６との双方向の通信インターフェースであり、ＡＴＡＰＩ（AT Attachment Packet Interface）及びＳＣＳＩ（Small Computer System Interface）等の標準インターフェースに準拠している。 
ＲＯＭ５１には、ＣＰＵ５３にて解読可能なコードで記述された後述する光ディスクの種類を判別するプログラム（以下、「ディスク判別プログラム」という）を含むプログラムが格納されている。フラッシュメモリ５２は、不揮発性のメモリであり、ＣＰＵ５３からの書き込み及び読み出しが可能であるとともに、電源が切られても記録された内容は保持される。 
ＣＰＵ５３は、ＲＯＭ５１に格納されている上記プログラムに従って上記各部の動作を制御するとともに、制御に必要なデータ等を一時的にＲＡＭ３４に保存する。
尚、光ディスク装置４０に電源が投入されると、ＲＯＭ５１に格納されている上記プログラムは、ＣＰＵ５３のメインメモリ（図示省略）にロードされる。 
また、光ディスク装置４０では、一例として再生専用のＤＶＤ、追記可能なＤＶＤ±Ｒ、書き換え可能なＤＶＤ±ＲＷへのアクセスが可能であるものとする。 
【００１３】
光ディスク装置の概略構成は上述の如くであるが、この構成にて光ピックアップ装置４２、再生信号処理回路４６にあって、光ディスク装置４０における一般的なＡＧＣ方式の回路を図８に示して説明したが、前述したとおり各種の問題があり、これらの問題を解決するための実施例を以下に示す。
図４は本発明の好ましいＡＧＣ方式の回路図である。光ピックアップ装置４２（ＰＵ４２）からの信号ＶＡ、ＶＢ、ＶＣ、ＶＤは可変利得アンプ（ＶＧＡ）６６によって、任意にゲイン倍される。このゲインＧｉｎｐｄはＣＰＵ５３からの指示によって設定することが可能となっており、ＩＮＰＤＧコントロール信号によって設定できる。 
フォーカスエラー信号はＦＥ演算回路６１によって、ＦＥ＝Ｇｉｎｐｄ×［（Ａ＋Ｃ）−（Ｂ＋Ｄ）］の演算が行われる。トラックエラー信号はＴＥ演算回路６２によって、ＴＥ＝Ｇｉｎｐｄ×［（Ｂ＋Ｃ）−（Ａ＋Ｄ）］の演算が行われる。総和信号はＳＵＭ演算回路６３によって、ＳＵＭ＝Ｇｉｎｐｄ×（Ａ＋Ｂ＋Ｃ＋Ｄ）の演算が行われる。 正規化回路は、ＡＧＣＣＮＴ回路６４とＶＣＡ６５から構成される。ＡＧＣＣＮＴ回路６４に入力されるＳＵＭ信号のレベルがある値、ここでは、０．５ＶになるようにＶＣＡ６５のゲイン設定がなされる。ＳＵＭ信号レベルが０．２５Ｖの場合はＶＣＡゲインは４倍となり、ＳＵＭ信号レベルが０．５Ｖの場合はＶＣＡゲインは２倍、ＳＵＭ信号レベルが１Ｖの場合はＶＣＡゲインは１倍となる。つまり、上記ＴＥ信号及びＦＥ信号はＧ＝１／ＳＵＭ倍される。 ＴＥ信号及びＦＥ信号の各ＶＣＡ６５のゲインは、ＧＡＩＮ＝１／ＳＵＭとなり、このとき、ＦＥ信号とＴＥ信号は以下の様にＡＧＣ演算される。 
ＦＥｎ＝［（Ａ＋Ｃ）−（Ｂ＋Ｄ）］／（Ａ＋Ｂ＋Ｃ＋Ｄ） 
ＴＥｎ＝［（Ｂ＋Ｃ）−（Ａ＋Ｄ）］／（Ａ＋Ｂ＋Ｃ＋Ｄ） 
【００１４】
ＶＣＡ６５のゲイン範囲は実用上０．７〜５．６倍（−３ｄＢ〜＋１５ｄＢ）の範囲をカバーしているが、＋６ｄＢ中心で使用する事が望ましい。従って、ＶＧＡ６６のゲインが＋６ｄＢとなるようにＩＮＰＤＧを設定すればよいことになる。 
ＶＧＡ６６に関してもゲイン範囲は実用上０．７〜５．６倍（−３ｄＢ〜＋１５ｄＢ）の範囲をカバーしている。
ディスク５５がドライブにマウントされると、ＬＤを点灯して、ＰＵ４２の対物レンズを上下に動かすフォーカスサーチを行う。図５にその時のＳＵＭ信号とＭＩＲＲ信号を示している。ＳＵＭ信号のピーク値は図４のピークホールド回路６７によってＭＩＲＲ信号として出力される。このＳＵＭ信号のピーク値はＰＵ４２のスポットがディスク面にフォーカスされて焦点が合った場合に相当し、ディスク５５の鏡面レベルを検出することになる。 
このＭＩＲＲレベルをＣＰＵ５３＋ＡＤコンバータ（図示省略）で読み込んで、そのレベルを知る。このレベルが１．０Ｖとした場合、０．５／１Ｖ＝０．５＝−６ｄＢの設定値をＣＰＵ５３によって計算し、ＩＮＰＤＧに設定を行う。このとき、ＰＵ４２からの出力はＶＧＡ６６のＩＮＰＤＧによって０．５倍されるので、フォーカスを掛けた時のＳＵＭ信号は、本来は１Ｖであるものが、０．５Ｖとなるはずであり、その時ＶＣＡ５のＡＧＣのゲインは中心の１／０．５Ｖ＝２＝６ｄＢとなるはずである。 
ちなみに、ＩＮＰＤＧを設定していない（０ｄＢのまま）とした場合には、ＳＵＭ信号は１Ｖのままとなるので、ＶＣＡ６５のＡＧＣのゲインは１／１Ｖ＝１＝０ｄＢとなり、実用的なＡＧＣ範囲の下限近くになってしまい、好ましくない。
光ピックアップ装置４２からの再生出射光束のパワーは、約０．７ｍＷである。この時、例えば反射率が８０％の再生専用のＤＶＤからのＭＩＲＲレベルは０．７Ｖであり、０．５／０．７Ｖ＝０．７（−３ｄＢに相当）の設定値をＣＰＵ５３によって計算し、ＩＮＰＤＧに設定を行う。このとき、ＰＵ４２からの出力はＶＧＡ６６のＩＮＰＤＧによって０．７倍されるので、フォーカスを掛けた時のＳＵＭ信号は、０．５Ｖとなり、ＶＣＡ６５のＡＧＣのゲインは中心の１／０．５Ｖ＝２（６ｄＢに相当）となり、良好なサーボ性能が発揮される。
【００１５】
次に例えば反射率が５％の二層構造のＤＶＤ±ＲＷからのＭＩＲＲレベルは０．０４５Ｖであり、０．５／０．０４５Ｖ＝１１（２１ｄＢに相当）の設定値をＣＰＵ５３によって計算するが、ＶＧＡ６６の実用的なＡＧＣ範囲の上限である１２ｄＢを大きく超えてしまう。そこで、光ピックアップ装置４２からの再生出射光束のパワーを、従来の倍である約１．４ｍＷとする。この時反射率が５％の二層構造のＤＶＤ±ＲＷからのＭＩＲＲレベルは０．０９Ｖであり、０．５／０．０９Ｖ＝５．６（１５ｄＢに相当）の設定値をＣＰＵ５３によって計算し、ＩＮＰＤＧに設定を行う。このとき、ＰＵ４２からの出力はＶＧＡ６６のＩＮＰＤＧによって５．６倍されるので、フォーカスを掛けた時のＳＵＭ信号は、０．５Ｖとなり、その時ＶＣＡ６５のＡＧＣのゲインは中心の１／０．５Ｖ＝２（６ｄＢに相当）となり、良好なサーボ性能が発揮される。
ちなみにＬＤパワー約０．７ｍＷと書いたのは、半導体レーザの制御精度が初期設定精度を含めると±３０％程度ばらつくので実際のパワーは、０．５〜０．９ｍＷの可能性がある。同様に約１．４ｍＷの時には１．０〜１．８ｍＷの可能性がある。つまり光ピックアップ装置４２からの再生出射光束のパワーを、従来の倍である約１．４ｍＷとすると言う意味は、厳密には１．０〜１．８ｍＷにすると言う意味である。
【００１６】
図６により従来のフォーカス引き込み方法をまず説明する。ＬＤを点灯して、ＰＵ４２の対物レンズを上下に動かすフォーカスサーチを行うと、図６に示すようなＦＥ信号（フォーカス信号）が得られる。この信号は第一の記録構成層１００、又は第二の記録構成層２００にフォーカスを入れるための信号である。しかしカバー基板１３の表面からも信号が出るため、ＳＵＭ信号がスレッシュレベル以上の時のみフォーカスを入れ、誤ってカバー基板１３の表面にフォーカスが入るのを防止している。ところが、反射率が追記可能な二層構造のＤＶＤ±Ｒの約１／３しかない二層構造のＤＶＤ±ＲＷにおいては図７に示すようにカバー基板１３の表面からも第一の記録構成層１００、第二の記録構成層２００と同程度のＳＵＭ信号が発生するため、誤ってカバー基板１３の表面にフォーカスが入るのを防止するＳＵＭ信号のスレッシュレベルを設定出来ない。そこでフォーカス引き込み方向を第一の記録構成層１００から第二の記録構成層２００に移動する方向でフォーカスの引き込みを行う。
また光ピックアップ装置４２の対物レンズの中立位置が対物レンズから出射した光束の合焦点（図７に示す）が第１記録層４より基板１側になるようにすると、フォーカス引き込みが早くなる。
【図面の簡単な説明】
【００１７】
【図１】本発明の相変化型光記録媒体の一例を示す層構成断面を模式的に示した図である。
【図２】多層相変化型光記録媒体の実施例を示す模式図である。
【図３】本発明の本多層相変化型光記録媒体の再生方法を用いる光ディスク装置のブロック図である。
【図４】本発明の好ましいＡＧＣ方式の回路図である。
【図５】ＳＵＭ信号とＭＩＲＲ信号を示す図である。
【図６】従来のフォーカス引き込み方法を説明する図である。
【図７】本発明のフォーカス引き込み方法を説明する図である。
【図８】従来の光ディスク装置におけるＡＧＣ方式の回路図である。
【符号の説明】
【００１８】
４２  光ピックアップ装置、４６  再生信号処理回路、５３  ＣＰＵ、６１  ＦＥ演算回路、６２  ＴＥ演算回路、６３  ＳＵＭ演算回路、６４  ＡＧＣＣＮＴ回路、６５  ＶＣＡ、６６  可変利得アンプ（ＶＧＡ）、６７  ピークホールド回路
【図１】
2006338849.tif 000003
【図２】
2006338849.tif 000004
【図３】
2006338849.tif 000005
【図４】
2006338849.tif 000006
【図５】
2006338849.tif 000007
【図６】
2006338849.tif 000008
【図７】
2006338849.tif 000009
【図８】
2006338849.tif 000010